(57)【特許請求の範囲】
【請求項１】
変速レバーと、前記変速レバーの位置を検出するインヒビタスイッチと、を備える自動変速機の異常検出装置であって、
前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出する検出部、
を備え、
前記レンジ飛ばしパターンは、第１パターンと、前記第１パターンと異なる第２パターンと、を含み、
前記検出部は、前記第１パターンが検出された場合に前記第２パターンが検出された場合よりも短い時間で、前記無入力異常を検出する、
ことを特徴とする自動変速機の異常検出装置。
【請求項２】
請求項１に記載の自動変速機の異常検出装置であって、
前記検出部は、前記第２パターンが検出された場合に前記第１パターンが検出された場合と異なる検出態様で、前記無入力異常を検出する、
ことを特徴とする自動変速機の異常検出装置。
【請求項３】
変速レバーと、前記変速レバーの位置を検出するインヒビタスイッチと、を備える自動変速機の異常検出装置であって、
前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出する検出部、
を備え、
前記レンジ飛ばしパターンは、第１パターンと、前記第１パターンと異なる第２パターンと、を含み、
前記検出部は、無入力異常検出時間に基づき前記無入力異常を検出する一方、
前記第１パターンが検出された場合には、前記第１パターンが検出されたことに基づき、前記無入力異常を検出し、
前記第２パターンが検出された場合には、前記無入力異常検出時間よりも短い無入力異常検出時間に基づき、前記無入力異常を検出する、
ことを特徴とする自動変速機の異常検出装置。
【請求項４】
変速レバーと、前記変速レバーの位置を検出するインヒビタスイッチと、を備える自動変速機の異常検出方法であって、
前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出し、
前記レンジ飛ばしパターンは、第１パターンと、前記第１パターンと異なる第２パターンと、を含み、
前記第１パターンが検出された場合に前記第２パターンが検出された場合よりも短い時間で、前記無入力異常を検出すること、
を含むことを特徴とする自動変速機の異常検出方法。
【発明の詳細な説明】
【技術分野】
【０００１】
本発明は、自動変速機の異常検出装置及び自動変速機の異常検出方法に関する。
【背景技術】
【０００２】
変速レバーの位置をインヒビタスイッチからの信号に基づき検出する自動変速機が知られている。特許文献１、２では、インヒビタスイッチからの信号が無入力状態になることが開示されている。
【先行技術文献】
【特許文献】
【０００３】
【特許文献１】特開２００６−１９４３７１号公報
【特許文献２】特許第４４４２７２０号公報
【発明の概要】
【発明が解決しようとする課題】
【０００４】
インヒビタスイッチからの信号は、断線等による異常時だけでなく、正常時に変速レバーがレンジ間の無信号領域を通過する際にも無入力状態になる。このため、正常な状態を異常と誤検知しないようにするために、最も遅い変速レバー操作を考慮した共通の無入力異常検出時間に基づき、無入力異常を検出することが考えられる。
【０００５】
しかしながらこの場合には、最も遅い変速レバー操作を考慮した共通の無入力異常検出時間を無入力の検出時間が経過するまでの間、無入力異常を確定することができないので、無入力異常の確定に時間がかかる虞がある。
【０００６】
本発明はこのような課題に鑑みてなされたもので、インヒビタスイッチからの信号の無入力異常を早期に確定することが可能な自動変速機の異常検出装置及び自動変速機の異常検出方法を提供することを目的とする。
【課題を解決するための手段】
【０００７】
本発明のある態様の自動変速機の異常検出装置は、変速レバーと、前記変速レバーの位置を検出するインヒビタスイッチと、を備える自動変速機の異常検出装置であって、前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出する検出部、を備え、前記レンジ飛ばしパターンは、第１パターンと、前記第１パターンと異なる第２パターンと、を含み、前記検出部は、前記第１パターンが検出された場合に前記第２パターンが検出された場合よりも短い時間で、前記無入力異常を検出する。
また、本発明の別の態様の自動変速機の異常検出装置は、変速レバーと、前記変速レバーの位置を検出するインヒビタスイッチと、を備える自動変速機の異常検出装置であって、前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出する検出部、を備え、前記レンジ飛ばしパターンは、第１パターンと、前記第１パターンと異なる第２パターンと、を含み、前記検出部は、無入力異常検出時間に基づき前記無入力異常を検出する一方、前記第１パターンが検出された場合には、前記第１パターンが検出されたことに基づき、前記無入力異常を検出し、前記第２パターンが検出された場合には、前記無入力異常検出時間よりも短い無入力異常検出時間に基づき、前記無入力異常を検出する。
【０００８】
本発明の別の態様によれば、変速レバーと、前記変速レバーの位置を検出するインヒビタスイッチと、を備える自動変速機の異常検出方法であって、前記変速レバーで選択されるレンジの遷移パターンが、互いに隣り合わないレンジ間の選択レンジの遷移パターンであるレンジ飛ばしパターンの場合に、互いに隣り合うレンジ間の選択レンジの遷移パターンである隣接パターンの場合よりも短い時間で、無入力異常を検出し、前記レンジ飛ばしパターンは、第１パターンと、前記第１パターンと異なる第２パターンと、を含み、前記第１パターンが検出された場合に前記第２パターンが検出された場合よりも短い時間で、前記無入力異常を検出すること、を含む自動変速機の異常検出方法が提供される。
【発明の効果】
【０００９】
これらの態様によれば、遷移パターンがレンジ飛ばしパターンの場合に隣接パターンの場合よりも短い時間でインヒビタスイッチからの信号の無入力異常を検出するので、共通の無入力異常検出時間を設定する場合と比較して、無入力異常の早期確定を図ることができる。
【図面の簡単な説明】
【００１０】
【図１】変速機の要部を示す断面図である。
【図２】インヒビタスイッチの無信号領域の説明図である。
【図３】第１実施形態で行われる制御の一例をフローチャートで示す図である。
【図４】第２実施形態で行われる制御の一例をフローチャートで示す図である。
【発明を実施するための形態】
【００１１】
以下、添付図面を参照しながら本発明の実施形態について説明する。
【００１２】
（第１実施形態）
図１は、変速機ＴＭの要部を示す断面図である。
【００１３】
変速機ＴＭは自動変速機であり、変速機構１と、油圧制御回路２と、セレクトレバー３と、インヒビタスイッチ４と、コントローラ５と、を備える。
【００１４】
変速機構１は、自動変速機構であり、本実施形態ではベルト式の無段変速機構が用いられる。変速機構１は、有段変速機構やトロイダル式の無段変速機構であってもよい。
【００１５】
油圧制御回路２は、変速機構１の元圧であるライン圧や変速機構１の制御油圧を制御する。油圧制御回路２は、マニュアル弁２ａを含む。マニュアル弁２ａは、リンク機構を介してセレクトレバー３に接続され、セレクトレバー３の動作に応じて駆動する。マニュアル弁２ａは、選択レンジが走行レンジである場合に開弁し、選択レンジが非走行レンジである場合に閉弁する。
【００１６】
セレクトレバー３は、変速機ＴＭのレンジの選択に用いられる変速レバーである。変速機ＴＭのレンジは、Ｐレンジすなわちパーキングレンジ、Ｒレンジすなわちリバースレンジ、Ｎレンジすなわちニュートラルレンジ、Ｄレンジすなわちドライブレンジ、及びＬレンジすなわちローレンジを含む。セレクトレバー３は、この順にレンジを選択できるように設けられる。セレクトレバー３の位置は、セレクトレバー３の操作に応じて回転する回転軸の角度位置で表すことができる。
【００１７】
インヒビタスイッチ４は、セレクトレバー３の位置を検出することで、セレクトレバー３による選択レンジを検出する。インヒビタスイッチ４は、検出した選択レンジに応じた信号を出力する。以下では、インヒビタスイッチをＩＮＨＳＷと称す。
【００１８】
コントローラ５は、電子制御装置であり、コントローラ５にはＩＮＨＳＷ４等からの信号が入力される。コントローラ５は、入力される信号に基づき油圧制御回路２を制御することで、変速機構１の変速比を制御することができる。
【００１９】
ところで、ＩＮＨＳＷ４からの信号であるＩＮＨＳＷ信号は、断線等による異常時だけでなく、次に説明するように正常時にも無入力状態になる。
【００２０】
図２は、ＩＮＨＳＷ４の無信号領域ＮＳの説明図である。図２では、マニュアル弁２ａの開弁域についても併せて示す。
【００２１】
ＩＮＨＳＷ４では、セレクトレバー３の位置に応じて各レンジの導通域、具体的にはＰレンジ導通域、Ｒレンジ導通域、Ｎレンジ導通域、Ｄレンジ導通域及びＬレンジ導通域が設定される。ＩＮＨＳＷ４は、セレクトレバー３の位置が導通域にある場合、その導通域に対応するレンジを選択レンジとして検出する。マニュアル弁２ａの開弁域は、Ｒレンジの導通域内と、Ｄレンジ及びＬレンジの導通域すなわち前進レンジの導通域内とに設定される。
【００２２】
Ｐレンジ導通域及びＲレンジ導通域は、重なり合わないように設定される。Ｒレンジ導通域及びＮレンジ導通域と、Ｎレンジ導通域及びＤレンジ導通域とについても同様である。結果、これらの導通域同士の間には、無信号領域ＮＳが形成される。無信号領域ＮＳ１は、Ｎレンジ導通域及びＤレンジ導通域間の無信号領域ＮＳを示す。無信号領域ＮＳ２は、Ｐレンジ導通域及びＲレンジ導通域間の無信号領域ＮＳを示し、無信号領域ＮＳ３は、Ｒレンジ導通域及びＮレンジ導通域間の無信号領域ＮＳを示す。
【００２３】
セレクトレバー３の位置がこのような無信号領域ＮＳにある場合、正常時でもＩＮＨＳＷ信号は無入力状態になる。
【００２４】
次に、セレクトレバー３で選択されるレンジの遷移パターンについて説明する。遷移パターンは、２つのレンジ間の選択レンジの遷移パターンであり、選択レンジの順番は順不同とされる。
【００２５】
遷移パターンは、互いに隣り合うレンジ間の選択レンジの遷移パターンである隣接パターンＰ１を含む。隣接パターンＰ１は、Ｐレンジ及びＲレンジ間、Ｒレンジ及びＮレンジ間、Ｎレンジ及びＤレンジ間で選択レンジが遷移する場合を含む。以下、Ｐレンジ及びＲレンジ間をＰ−Ｒ間と称す。他のレンジ間についても同様である。
【００２６】
遷移パターンは、互いに隣り合わないレンジ間の選択レンジの遷移パターンであるレンジ飛ばしパターンＰ２をさらに含む。レンジ飛ばしパターンＰ２は、Ｐ−Ｎ間、Ｐ−Ｄ間、Ｒ−Ｌ間、Ｎ−Ｌ間で選択レンジが遷移する場合を含む。
【００２７】
隣接パターンＰ１とレンジ飛ばしパターンＰ２とは具体的にはともに、対応するＩＮＨＳＷ４の導通域間に無信号領域ＮＳを含む２つのレンジ間の選択レンジの遷移パターンとされる。
【００２８】
遷移パターンが隣接パターンＰ１の場合、２つの選択レンジの導通域間には無信号領域ＮＳしか存在しない。このため、この場合にＩＮＨＳＷ信号の無入力異常を検出するためには、無信号領域ＮＳに応じてＩＮＨＳＷ信号が無入力となっている場合と、断線等の異常によってＩＮＨＳＷ信号が無入力となっている場合とを区別する必要がある。
【００２９】
遷移パターンがレンジ飛ばしパターンＰ２の場合、２つの選択レンジ間には無信号領域ＮＳだけでなく、２つの選択レンジ間のレンジである通過レンジに対応する導通域も含まれる。したがってこの場合には、選択レンジ間でＩＮＨＳＷ信号が無入力のままであれば、断線等の異常によってＩＮＨＳＷ信号が無入力となっている、と判断することができる。
【００３０】
このような事情に鑑み、本実施形態では、コントローラ５が次に説明する制御を実行することで、ＩＮＨＳＷ信号の無入力異常を検出する。
【００３１】
図３は、本実施形態でコントローラ５が行う制御の一例をフローチャートで示す図である。
【００３２】
ステップＳ１で、コントローラ５はＩＮＨＳＷ信号が無入力であるか否かを判定する。ステップＳ１で肯定判定であれば、処理はステップＳ２に進む。
【００３３】
ステップＳ２で、コントローラ５は、ＩＮＨＳＷ信号の前回値ＶＢを記憶しているか否かを判定する。換言すれば、コントローラ５は、ＩＮＨＳＷ信号が無入力になる直前の選択レンジを記憶しているか否かを判定する。ステップＳ２で否定判定であれば、処理はステップＳ３に進む。
【００３４】
ステップＳ３で、コントローラ５は、前回値ＶＢを記憶する。前回値ＶＢの記憶は、ＩＮＨＳＷ信号を記憶する一方、ＩＮＨＳＷ信号が無入力となった際に、その直前のＩＮＨＳＷ信号を前回値ＶＢとして記憶することで行うことができる。ステップＳ３の後には、処理はステップＳ４に進む。ステップＳ２で肯定判定であった場合も、処理はステップＳ４に進む。
【００３５】
ステップＳ４で、コントローラ５は、ＩＮＨＳＷ信号の無入力の検出時間ＴＮをカウントする。
【００３６】
ステップＳ５で、コントローラ５は、検出時間ＴＮが第１設定時間ＴＤ１を経過したか否かを判定する。
【００３７】
第１設定時間ＴＤ１は、ＩＮＨＳＷ信号が無入力であることを無入力異常として検出するための無入力異常検出時間である。第１設定時間ＴＤ１は、第１無入力異常検出時間であり、遷移パターンが隣接パターンＰ１の場合を考慮して設定される。
【００３８】
第１設定時間ＴＤ１は具体的には、隣接パターンＰ１の各遷移パターンに共通の値に設定される。第１設定時間ＴＤ１は、例えば３０秒であり、本実施形態では最も遅いセレクトレバー３の操作を考慮した値に設定される。第１設定時間ＴＤ１は、前回値ＶＢに応じて設定されるなど、隣接パターンＰ１の各遷移パターンに共通の値として設定されなくてもよい。第１設定時間ＴＤ１は、実験等により予め設定することができる。
【００３９】
ＩＮＨＳＷ信号が第１設定時間ＴＤ１よりも長い間、無入力の場合、選択レンジ間の隔たりが隣接パターンＰ１よりも大きいレンジ飛ばしパターンＰ２の場合を含め、ＩＮＨＳＷ信号が無入力領域ＮＳに応じて無入力になっているのではない、と判断できる。
【００４０】
このため、ステップＳ５で肯定判定であれば、処理はステップＳ１１に進み、コントローラ５は、無入力異常を検出及び確定する。ステップＳ１１の後には、本フローチャートの処理は終了する。
【００４１】
ステップＳ５で否定判定であれば、処理はステップＳ１に戻る。また、ステップＳ１で否定判定であれば、処理はステップＳ６に進む。
【００４２】
ステップＳ６で、コントローラ５は、遷移パターンがレンジ飛ばしパターンＰ２であるか否かを判定する。遷移パターンがレンジ飛ばしパターンＰ２であるか否かは、記憶している前回値ＶＢと現在のＩＮＨＳＷ信号とに基づき判定することができる。
【００４３】
ステップＳ６で否定判定であれば、遷移パターンは隣接パターンＰ１であり、且つＩＮＨＳＷ信号は無入力領域ＮＳに応じて無入力になっていた、と判断することができる。すなわち、ＩＮＨＳＷ４は正常と判断することができる。このため、ステップＳ６で否定判定であれば、処理はステップＳ１２に進み、コントローラ５は、前回値ＶＢ及び検出時間ＴＮをクリアする。ステップＳ１２の後には、処理はステップＳ１に戻る。
【００４４】
ステップＳ６で肯定判定であれば、レンジ飛ばしパターンＰ２が検出され、遷移パターンが選択レンジ間に通過レンジを含むレンジ飛ばしパターンＰ２であったにもかかわらず、選択レンジ間でＩＮＨＳＷ信号が無入力になっていた、と判断することができる。したがって、断線等による異常によって選択レンジ間でＩＮＨＳＷ信号が無入力になっていた、と判断することができる。このため、ステップＳ６で肯定判定であれば、処理はステップＳ１１に進み、コントローラ５は、無入力異常を検出及び確定する。
【００４５】
これにより、第１設定時間ＴＤ１に基づき無入力異常が検出及び確定される一方、レンジ飛ばしパターンＰ２が検出された場合には、レンジ飛ばしパターンＰ２が検出されたことに基づき、無入力異常が検出及び確定される。また、検出時間ＴＮが第１設定時間ＴＤ１を経過する前に無入力異常が検出及び確定されるので、遷移パターンがレンジ飛ばしパターンＰ２の場合に隣接パターンＰ１の場合よりも短い時間で、無入力異常が検出及び確定される。
【００４６】
本実施形態では、コントローラ５が変速機ＴＭの異常検出装置を構成するとともに、本フローチャートの処理を実行することで検出部を有した構成とされる。
【００４７】
次に、本実施形態の主な作用効果について説明する。
【００４８】
コントローラ５は、セレクトレバー３とＩＮＨＳＷ４とを備える変速機ＴＭの異常検出装置であり、遷移パターンがレンジ飛ばしパターンＰ２の場合に隣接パターンＰ１の場合よりも短い時間で、無入力異常を検出するように構成される。
【００４９】
このような構成のコントローラ５によれば、遷移パターンがレンジ飛ばしパターンＰ２の場合に隣接パターンＰ１の場合よりも短い時間でＩＮＨＳＷ信号の無入力異常を検出するので、例えば第１設定時間ＴＤ１を共通の無入力異常検出時間として設定する場合と比較して、無入力異常の早期確定を図ることができる（請求項１に対応する効果）。
【００５０】
コントローラ５は、第１設定時間ＴＤ１に基づき無入力異常を検出する一方、レンジ飛ばしパターンＰ２が検出された場合には、レンジ飛ばしパターンＰ２が検出されたことに基づき、無入力異常を検出する。
【００５１】
このような構成のコントローラ５によれば、レンジ飛ばしパターンＰ２が検出された場合に、レンジ飛ばしパターンＰ２が検出されたことを以て、即座に無入力異常を確定することができる。
【００５２】
（第２実施形態）
図２に示すように、ＩＮＨＳＷ４の導通域の大きさは具体的には、対応するレンジによって異なっている。例えば、Ｎレンジ導通域は、Ｒレンジ導通域やＤレンジ導通域と比較して狭くなっている。
【００５３】
このため、遷移パターンがレンジ飛ばしパターンＰ２の場合でも、Ｎレンジを通過レンジとするＲ−Ｄ間で選択レンジが遷移する場合には、セレクトレバー３の素早い操作によってＮレンジが検出されずに、正常な場合を異常と誤検知してしまうことが懸念される。このような誤検知は例えば、通過レンジに対応する導通域が、ＩＮＨＳＷ信号を検出するサンプリング周期内に通過された場合に発生し得る。
【００５４】
このような事情に鑑み、本実施形態ではコントローラ５が次のように制御を行う。
【００５５】
図４は、本実施形態でコントローラ５が行う制御の一例をフローチャートで示す図である。以下では、図３に示すフローチャートの異なる部分について主に説明する。
【００５６】
ステップＳ１で否定判定であった場合、コントローラ５はステップＳ６Ａで、遷移パターンが第１パターンＰ２１であるか否かを判定する。また、ステップＳ６Ａで否定判定であった場合、コントローラ５はステップＳ６Ｂで、遷移パターンが第２パターンＰ２２であるか否かを判定する。
【００５７】
第１パターンＰ２１と第２パターンＰ２２とはともに、レンジ飛ばしパターンＰ２に含まれる遷移パターンである。したがって、ステップＳ６Ａ及びステップＳ６Ｂの判定は、記憶している前回値ＶＢと現在のＩＮＨＳＷ信号とに基づき行うことができる。
【００５８】
第１パターンＰ２１は、セレクトレバー３の素早い操作によっても、選択レンジ間の通過レンジが検出される遷移パターンとして設定される。第２パターンＰ２２は、セレクトレバー３の素早い操作によって、選択レンジ間の通過レンジが検出されない可能性がある遷移パターンとして設定される。結果、第２パターンＰ２２には、選択レンジ間の全通過レンジに対応するＩＮＨＳＷ４の合計導通域が、第１パターンＰ２１よりも狭い遷移パターンが設定される。
【００５９】
本実施形態では具体的には、第１パターンＰ２１は、Ｐ−Ｎ間、Ｐ−Ｄ間、Ｒ−Ｌ間及びＮ−Ｌ間で選択レンジが遷移する場合とされ、第２パターンＰ２２は、Ｒ−Ｄ間で選択レンジが遷移する場合とされる。第２パターンＰ２２は、Ｎレンジを通過レンジとすることで、対応する導通域が最も狭い通過レンジを通過レンジとする遷移パターンとされる。
【００６０】
ステップＳ６Ａで肯定判定であれば、処理はステップＳ１１に進む。すなわちこの場合には、通過レンジを検出できずに正常な場合を異常と誤検知することがないので、コントローラ５は、無入力異常を検出及び確定する。これにより、遷移パターンが第１パターンＰ２１が検出された場合に、第１パターンＰ２１が検出されたことに基づき、無入力異常が検出及び確定される。
【００６１】
ステップＳ６Ｂで肯定判定であれば処理はステップＳ７に進み、コントローラ５は、検出時間ＴＮが第２設定時間ＴＤ２を経過したか否かを判定する。
【００６２】
第２設定時間ＴＤ２は、無入力異常検出時間であり、遷移パターンが第２パターンＰ２２の場合の無入力異常検出時間として設定される第２無入力異常検出時間である。第２設定時間ＴＤ２は、例えば０．５秒であり、第１設定時間ＴＤ１よりも短く設定される。第２設定時間ＴＤ２は、セレクトレバー３の操作が素早い操作か否かを判定するための判定値として設定される。第２設定時間ＴＤ２は、実験等により予め設定することができる。
【００６３】
ステップＳ７で否定判定であれば、セレクトレバー３の操作が素早かったため、通過レンジを間に含む選択レンジ間でＩＮＨＳＷ信号が無入力になっていた可能性があると判断することができる。このためこの場合には、処理はステップＳ１２に進み、コントローラ５は、前回値ＶＢ及び検出時間ＴＮをクリアする。ステップＳ６Ｂで否定判定の場合も、処理はステップＳ１２に進む。
【００６４】
ステップＳ７で肯定判定であれば、セレクトレバー３の操作が素早くなかったにもかかわらず、通過レンジを間に含む選択レンジ間でＩＮＨＳＷ信号が無入力になっていたと判断することができる。したがって、断線等による異常によって選択レンジ間でＩＮＨＳＷ信号が無入力になっていたと判断することができる。このためこの場合には、処理はステップＳ１１に進み、コントローラ５は、無入力異常を検出及び確定する。
【００６５】
これにより、第２パターンＰ２２が検出された場合に、第２設定時間ＴＤ２に基づき無入力異常が検出及び確定される。また、第２パターンＰ２２が検出された場合に第１パターンＰ２１が検出された場合と異なる検出態様、換言すれば異なる検出方法で無入力異常が検出される。さらに、第１パターンＰ２１が検出された場合には第２パターンＰ２２が検出された場合よりも短い時間で、無入力異常が検出及び確定される。
【００６６】
次に、本実施形態の主な作用効果について説明する。
【００６７】
レンジ飛ばしパターンＰ２は、第１パターンＰ２１と、第１パターンＰ２１と異なる第２パターンＰ２２と、を含む。コントローラ５は、第１パターンＰ２１が検出された場合に第２パターンＰ２２が検出された場合よりも短い時間で、無入力異常を検出する。
【００６８】
このような構成によれば、レンジ飛ばしパターンＰ２が検出された場合に、無入力異常の早期確定を図りつつも、正常な状態を異常と誤検知してしまう可能性をさらに考慮して、無入力異常を検出及び確定することができる（請求項１に対応する効果）。
【００６９】
コントローラ５は、第２パターンＰ２２が検出された場合に第１パターンＰ２１が検出された場合と異なる検出態様で無入力異常を検出する。
【００７０】
このような構成によれば、正常な状態を異常と誤検知してしまう可能性がある場合に、無入力異常の検出及び確定を適切に図ることができる（請求項２に対応する効果）。
【００７１】
コントローラ５は、第１パターンＰ２１が検出された場合、第１パターンＰ２１が検出されたことに基づき、無入力異常を検出する。また、コントローラ５は、第２パターンＰ２２が検出された場合、第２設定時間ＴＤ２に基づき、無入力異常を検出する。
【００７２】
このような構成によれば、セレクトレバー３の素早い操作によっても選択レンジ間の通過レンジが検出される場合と、セレクトレバー３の素早い操作によって選択レンジ間の通過レンジが検出されない可能性がある場合とで、無入力異常の早期確定を適切に図ることができる（請求項３に対応する効果）。
【００７３】
以上、本発明の実施形態について説明したが、上記実施形態は本発明の適用例の一部を示したに過ぎず、本発明の技術的範囲を上記実施形態の具体的構成に限定する趣旨ではない。
【００７４】
上述した実施形態では、第１パターンＰ２１が、セレクトレバー３の素早い操作によっても選択レンジ間の通過レンジが検出される遷移パターンとして設定され、コントローラ５が、第１パターンＰ２１が検出された場合に、第１パターンＰ２１が検出されたことに基づき、無入力異常を検出及び確定する場合について説明した。
【００７５】
しかしながら、第１パターンＰ２１は例えば、セレクトレバー３の素早い操作によって選択レンジ間の通過レンジが検出されない可能性が第２パターンよりも低い遷移パターンとして設定されてもよい。すなわち、第１パターンＰ２１及び第２パターンＰ２２は、セレクトレバー３の素早い操作によって、選択レンジ間の通過レンジが検出されない可能性がある場合を段階的に区別するように設定されてもよい。
【００７６】
この場合、コントローラ５は例えば、第１パターンＰ２１が検出された場合に、第２設定時間ＴＤ２よりも短い第３無入力異常検出時間に基づき、無入力異常を検出及び確定するように構成することができる。すなわち、コントローラ５は、第１パターンＰ２１が検出された場合と第２パターンＰ２２が検出された場合とで、それぞれの場合に応じた無入力異常検出時間に基づき、無入力異常を検出及び確定するように構成されてもよい。
【００７７】
上記に関連し、コントローラ５は、遷移パターンが、第１パターンＰ２１が検出された場合と第２パターンＰ２２が検出された場合とを含むレンジ飛ばしパターンＰ２の場合に、第２設定時間ＴＤ２に基づき、無入力異常を検出するように構成されてもよい。すなわち、コントローラ５は、遷移パターンがレンジ飛ばしパターンＰ２の場合に、第１パターンＰ２１と第２パターンＰ２２とを区別することなく、第２設定時間ＴＤ２に基づき、無入力異常を検出することも可能である。
【００７８】
上述した実施形態では、コントローラ５が、第２パターンＰ２２が検出された場合に、第２設定時間ＴＤ２に基づき無入力異常を検出する場合について説明した。
【００７９】
しかしながら、コントローラ５は、第１パターンＰ２１が検出された場合に無入力異常検出時間に基づき無入力異常を検出及び確定するように構成される場合を含め、第２パターンＰ２２が検出された場合に、第１パターンＰ２１が検出された場合と異なるその他の検出態様で無入力異常を検出及び確定するように構成されてもよい。その他の検出態様としては例えば、ＩＮＨＳＷ４の導通確認による断線検出を行うことなどが挙げられる。
【００８０】
上述した実施形態では、コントローラ５が、第１パターンＰ２１が検出された場合と第２パターンＰ２２が検出された場合とでともに、隣接パターンＰ１の場合よりも短い時間で、無入力異常を検出及び確定する場合について説明した。
【００８１】
しかしながら、コントローラ５は、遷移パターンがレンジ飛ばしパターンＰ２のうち少なくとも第１パターンＰ２１の場合に、隣接パターンＰ１の場合よりも短い時間で、無入力異常を検出及び確定するように構成されてもよい。
【００８２】
すなわち、遷移パターンがレンジ飛ばしパターンＰ２の場合に隣接パターンＰ１の場合よりも短い時間で、無入力異常を検出及び確定することは、レンジ飛ばしパターンＰ２が第１パターンＰ２１であることを含む。
【００８３】
同様に、レンジ飛ばしパターンＰ２が検出された場合に、レンジ飛ばしパターンＰ２が検出されたことに基づき、無入力異常を検出及び確定することは、レンジ飛ばしパターンＰ２が第１パターンＰ２１であることを含む。
【００８４】
上述した実施形態では、コントローラ５が変速機ＴＭの異常検出装置として構成されるとともに、検出部を有した構成とされる場合について説明した。しかしながら、変速機ＴＭの異常検出装置及び検出部は例えば、複数のコントローラで実現されてもよい。
【符号の説明】
【００８５】
１    変速機構
２    油圧制御回路
３    セレクトレバー（変速レバー）
４    ＩＮＨＳＷ
５    コントローラ（検出部）
ＮＳ  無信号領域
ＴＭ  変速機
【図１】
0006670116.tif 000002
【図２】
0006670116.tif 000003
【図３】
0006670116.tif 000004
【図４】
0006670116.tif 000005